(57)【特許請求の範囲】
【請求項１】
自動車分野向けのケーブル用の電気コンタクトデバイス（１）であって、コンタクト本体（１０）と、前記コンタクト本体（１０）に対する相手側コンタクトレシーバ（２０）とを有する前記電気コンタクトデバイスにおいて、
前記相手側コンタクトレシーバ（２０）は、少なくとも２つの位置（Ｉ、ＩＩ）で前記コンタクト本体（１０）上に装着することができ、その結果、２つの相互に異なる挿入軸（Ｌ１１０、Ｑ１１０）上で、電気相手側コンタクトデバイス（３）を前記電気コンタクトデバイス（１）内へ挿入することができ、
前記コンタクト本体（１０）に対する前記相手側コンタクトレシーバ（２０）の前記少なくとも２つの位置（Ｉ、ＩＩ）は、前記相手側コンタクトレシーバ（２０）を回転軸（Ｈ）に対して想像上回転させることによって形成することができ、
前記相手側コンタクトレシーバ（２０）は、実質的に０°の位置（Ｉ）、９０°の位置（ＩＩ）、１８０°の位置（Ｉ）、および２７０°の位置（ＩＩ）のうち、いずれの位置でも、前記コンタクト本体の接触領域（１１０）上に装着することができることを特徴とする、電気コンタクトデバイス。
【請求項２】
前記回転軸（Ｈ）は、実質的に前記コンタクト本体（１０）の前記接触領域（１１０）の中心を通る、ことを特徴とする、請求項１に記載の電気コンタクトデバイス。
【請求項３】
前記相手側コンタクトレシーバ（２０）は、第１の位置（Ｉ）および第２の位置（ＩＩ）のうちいずれの位置でも前記接触領域（１１０）上に装着することができ、
前記接触領域（１１０）上の前記相手側コンタクトレシーバ（２０）の前記第１の位置（Ｉ）で、前記相手側コンタクトレシーバ（２０）の長手方向軸（Ｌ２０）は、前記接触領域（１１０）の長手方向軸（Ｌ１１０）に対して実質的に平行に配置され、
前記接触領域（１１０）上の前記相手側コンタクトレシーバ（２０）の前記第２の位置（ＩＩ）で、前記相手側コンタクトレシーバ（２０）の前記長手方向軸（Ｌ２０）は、前記接触領域（１１０）の前記長手方向軸（Ｌ１１０）に対して実質的に直交して配置されることを特徴とする、請求項１または２に記載の電気コンタクトデバイス。
【請求項４】
前記相手側コンタクトレシーバ（２０）は、その周囲方向に実質的に閉じているケージ（２０）の形態をとり、前記ケージ（２０）内へ前記電気相手側コンタクトデバイス（３）を挿入することができ、前記ケージ（２０）は、略ｏ字状の断面を有し、これにより前記電気相手側コンタクトデバイス（３）を前記相手側コンタクトレシーバ（２０）内に挿入可能にし、または
前記相手側コンタクトレシーバ（２０）は、その周囲方向に開いているトラフ（２０）の形態をとり、前記トラフ（２０）内へ前記電気相手側コンタクトデバイス（３）を挿入することができ、前記トラフ（２０）は、略ｕ字状の断面を有し、これにより前記電気相手側コンタクトデバイス（３）を前記電気コンタクトデバイス（１）は、前記接触領域（１１０）と前記相手側コンタクトレシーバ（２０）との間に挿入可能にする、
ことを特徴とする、請求項１から３のいずれか一項に記載の電気コンタクトデバイス。
【請求項５】
前記相手側コンタクトレシーバ（２０）は、コンタクトばね（２０）の形態をとり、
前記形態が前記ケージの場合は、前記コンタクトばね（２０）は、略ｏ字状であり、少なくとも一方の側で内側に、少なくとも１つの電気コンタクト突起（２０２）である電気コンタクトばねアーム（２０２）を有し、
前記形態が前記トラフの場合は、前記コンタクトばね（２０）は、略ｕ字状であり、少なくとも一方の側で内側に、少なくとも１つのコンタクト突起（２０２）であるコンタクトビード（２０２）を有することを特徴とする、請求項４に記載の電気コンタクトデバイス。
【請求項６】
前記接触領域（１１０）は、少なくとも前記第１及び第２の位置（Ｉ、ＩＩ）で前記接触領域（１１０）上に前記相手側コンタクトレシーバ（２０）を固定することができる固定機構（１１２、１１４）を有し、
前記固定機構（１１２、１１４）は、前記接触領域（１１０）内の縁部（１１２、１１４）、掛止肩部（１１２、１１４）、および貫通開口（１１２、１１４）のうちいずれかの形態をとることを特徴とする、請求項３に記載の電気コンタクトデバイス。
【請求項７】
前記相手側コンタクトレシーバ（２０）は、前記接触領域（１１０）上に前記相手側コンタクトレシーバ（２０）を固定することができる更なる固定機構（２１３）を有し、
前記更なる固定機構（２１３）は、前記接触領域（１１０）の前記固定機構（１１２、１１４）上に掛止めされる掛止タブ（２１３）、掛止フック（２１３）、クリップ、およびばねクランプのうちいずれかの形態をとることを特徴とする、請求項６に記載の電気コンタクトデバイス。
【請求項８】
前記第１の位置（Ｉ）に対する前記接触領域（１１０）の２つの関連する前記固定機構（１１２、１１２）間の長手方向軸（Ｌ１１０）の軸方向に関する長さが、前記第２の位置（ＩＩ）に対する前記接触領域（１１０）の２つの関連する前記固定機構（１１４、１１４）間の横断方向軸（Ｑ１１０）の軸方向に関する長さと実質的に等しいことを特徴とする、請求項６又は７に記載の電気コンタクトデバイス。
【請求項９】
前記相手側コンタクトレシーバ（２０）は、複数のコンタクトばねアーム（２０２）を有し、
前記複数のコンタクトばねアーム（２０２）は、異なる幅を有し、または
前記複数のコンタクトばねアーム（２０２）は、それぞれの取付け領域（２０１）とそれぞれの電気接触領域（２０３）との間で異なる長さを有することを特徴とする、請求項１から８のいずれか一項に記載の電気コンタクトデバイス。
【請求項１０】
前記コンタクト本体（１０）上の前記相手側コンタクトレシーバ（２０）の少なくとも１つの装着位置（Ｉ、ＩＩ）に対して、
前記異なる幅を有する前記複数のコンタクトばねアーム（２０２）のそれぞれに関しては、前記電気コンタクトデバイス（１）の電気端子接続領域（１３０）に隣接する前記コンタクトばねアーム（２０２）は、前記端子接続領域（１３０）からより遠くへ離れている前記コンタクトばねアーム（２０２）より小さい幅を有し、
前記異なる長さを有する前記複数のコンタクトばねアーム（２０２）のそれぞれに関しては、前記電気コンタクトデバイス（１）の前記端子接続領域（１３０）に隣接する前記コンタクトばねアーム（２０２）は、それぞれの取付け領域（２０１）とそれぞれの前記電気接触領域（２０３）との間に、前記端子接続領域（１３０）からより遠くへ離れている前記コンタクトばねアーム（２０２）より小さい長さを有することを特徴とする、請求項９に記載の電気コンタクトデバイス。
【請求項１１】
前記電気コンタクトデバイス（１）は、前記コンタクト本体（１０）と前記相手側コンタクトレシーバ（２０）との２つの部分からなり、
前記電気コンタクトデバイス（１）は、圧着コンタクトデバイス（１）および超音波溶接コンタクトデバイス（１）のうちいずれかの形態をとり、
前記コンタクト本体（１０）および前記相手側コンタクトレシーバ（２０）のそれぞれは、一体に形成され、
前記相手側コンタクトレシーバ（２０）は、金属およびプラスチックのうちいずれかから構成され、
コンタクトばねアーム（２０２）が、前記相手側コンタクトレシーバ（２０）上に一方の側もしくは双方の側で取り付けられ、
前記コンタクトばねアーム（２０２）が、コンタクト板ばね（２０２）の形態をとり、更に、
前記接触領域（１１０）のうち前記電気相手側コンタクトデバイス（３）に対するコンタクトを実際に形成する部分が、実質的に方形の形態をとる
ことを特徴とする、請求項１に記載の電気コンタクトデバイス。
【請求項１２】
自動車分野向けのケーブル用の電気コンタクトデバイス（１）の装着方法であって、
コンタクト本体（１０）および相手側コンタクトレシーバ（２０）を含む電気コンタクトデバイス（１）において、
前記相手側コンタクトレシーバ（２０）は、その回転により、０°／１８０°の向き（Ｉ）および前記０°／１８０°の向き（Ｉ）とは異なる向き（ＩＩ）のうちいずれの向きでも、前記コンタクト本体（１０）上に装着することができ、これらの向きのうちの１つで、前記コンタクト本体（１０）上に装着されることを特徴とする、方法。
【請求項１３】
前記相手側コンタクトレシーバ（２０）は、実質的に０°の向き（Ｉ）、９０°の向き（ＩＩ）、１８０°の向き（Ｉ）、および２７０°の向き（ＩＩ）のうちいずれかの向きで、前記コンタクト本体（１０）上に装着され、
前記相手側コンタクトレシーバ（２０）は、前記コンタクト本体（１０）上に掛止され、もしくは前記コンタクト本体（１０）にクリップ留めされる、
ことを特徴とする、請求項１２に記載の装着方法。
【請求項１４】
自動車分野向けの完成品の電気ケーブルであって、
前記完成品の電気ケーブルは、請求項１から１１のいずれか一項に記載の電気コンタクトデバイス（１）を有することを特徴とする、電気ケーブル。
【発明の詳細な説明】
【技術分野】
【０００１】
本発明は、特に自動車分野向けの銅またはアルミニウムのケーブル用の電気コンタクトデバイス、好ましくはソケットコンタクトデバイス、およびこの種のコンタクトデバイスの装着方法に関する。さらに、本発明は、特に自動車分野向けの完成品の電気ケーブル、好ましくは銅またはアルミニウムのケーブルに関する。
【背景技術】
【０００２】
電気および電子工学では、多数の電気接続、特にプラグ接続が知られており、これらは、電流、電圧、ならびに／または可能な限り最も広い範囲の電流、電圧、周波数、および／もしくはデータ伝送速度を有する信号を搬送するように働く。特に、自動車分野では、この種の接続は、熱応力がかかる、汚れた、湿度が高い、かつ／または化学的に腐食性の環境において、場合によっては比較的長い期間の後の短時間の間、または持続的に、電力、信号、および／またはデータの問題のない伝送を確保する必要がある。この種の接続に対する応用例の範囲が広いことから、たとえばプラグコネクタ内でプラグコンタクトとして働く特有の構造の多数の電気コンタクトまたはコンタクトデバイス、特に圧着コンタクトデバイスが知られている。
【０００３】
たとえばソケットコンタクトデバイスまたは機構の形態をとるそのような圧着コンタクトデバイスは、電気ケーブル、ケーブルハーネス、または電気導体に圧着することができる。これらはまた、電気的、電子的、または電気光学的ユニットの電気的機構上／内に固定して設置することができる。コンタクトデバイスがケーブルまたはケーブルハーネス上に位置する場合、これは（浮動）ソケットもしくはプラグコンタクトデバイスまたはカップリングもしくはプラグと称されることが多く、コンタクトデバイスが電気的、電子的、または電気光学的機構の上／内に位置する場合、これは通常、凹形ソケットなど、凹形コンタクトデバイスまたは機構と称される。
【０００４】
恒久的な電気接続をもたらすことに加えて、コンタクトデバイスはまた、ケーブルと圧着コンタクトデバイスの導体圧着領域との間に恒久的な機械的接続をもたらさなければならない。ケーブルに対する電気的および機械的な端子接続を形成するため、圧着コンタクトデバイスは、導体圧着領域を有し、通常はさらに、ｉｓｏ圧着領域を有する。小型化およびコストの節約のため、製造者は、複数の可能な用途を有するより小さいコンタクトデバイスを生産することを強いられている。これにより、少なくとも２つの挿入方向から電気接続させることができ、好ましくは接触抵抗が低く、十分に頑丈である、簡単に構築され、したがって低コストのコンタクトデバイスの必要が増大している。
【発明の概要】
【発明が解決しようとする課題】
【０００５】
本発明の目的は、好ましくは自動車分野向けの特にソケットコンタクトデバイスなどの銅またはアルミニウムのケーブル用の改善された電気コンタクトデバイス、およびこの種のコンタクトデバイスの装着方法を提供することである。さらに、本発明の目的は、改善された完成品の電気ケーブル、特に銅またはアルミニウムのケーブルを提供することである。この文脈で、コンタクトデバイスは、２つの挿入軸に沿って電気コンタクトを形成することが可能であり、コンタクトデバイスは、両方の挿入軸に対して、実質的に同じ電気特性（たとえば、低い電気接触抵抗）および／または同じ機械特性（たとえば、特定の挿入力）を有する。さらに、このようにして、単一のコンタクトデバイスによって、両方の挿入軸を設定することが可能である。
【課題を解決するための手段】
【０００６】
本発明の目的は、請求項１に記載の特に自動車分野向けの銅またはアルミニウムのケーブル用の電気コンタクトデバイス、好ましくはソケットコンタクトデバイス、請求項１２に記載のこの種のコンタクトデバイスの装着方法、および請求項１４に記載の特に自動車分野向けの完成品の電気ケーブル、好ましくは銅またはアルミニウムのケーブルによって実現される。本発明の有利なさらなる発展形態、追加の特徴、および／または利点は、従属請求項および本発明の以下の説明から明らかである。
【０００７】
本発明による電気コンタクトデバイスは、コンタクト本体と、コンタクト本体に対する相手側コンタクトレシーバとを有し、相手側コンタクトレシーバは、少なくとも２つの位置、特に少なくとも２つの相互に異なる位置で、コンタクト本体上に装着または提供することができ、その結果、２つの相互に異なる挿入軸に沿って、電気相手側コンタクトデバイスをコンタクトデバイス内へ挿入することができる。すなわち、本発明によれば、単一のコンタクト本体および単一の相手側コンタクトレシーバを使用して、相手側コンタクトデバイスに対する少なくとも２つの異なる挿入軸をコンタクトデバイス内／上に設定することができる。この文脈では、挿入軸は、１つまたは２つの挿入方向を含むことができる。
【０００８】
本発明によれば、コンタクトデバイスは、２つの部分からなるコンタクトデバイス、特に圧着コンタクトデバイスの形態をとる。当然ながら、（電気／超音波）溶接、はんだ付け、接着、または機械的接続など、コンタクトデバイスに対する任意の所望の導体材料の他のタイプの接続も、同様に使用することができる。本発明によれば、コンタクトデバイスに対する相手側コンタクトレシーバの少なくとも２つの位置は、相手側コンタクトレシーバを回転軸に対して想像上回転させることによって形成することができる。回転軸は、実質的にコンタクト本体の電気接触領域の中心を通ることができ、相手側コンタクトレシーバは、特に実質的に０°、９０°、１８０°、および／または２７０°の位置／向きで、接触領域上に装着することができる。
【０００９】
この結果、好ましくは実質的に互いに直交する、相手側コンタクトデバイスに対する少なくとも２つの挿入軸を、コンタクトデバイス内／上に形成することができる。好ましくは、この結果、コンタクト本体の構造（ケーブルもしくは電線などへの機械的および電気的な端子接続）ならびに／または相手側コンタクトレシーバの構造（片側もしくは両側で開いている）に応じて、コンタクトデバイス内／上への相手側コンタクトデバイスの２つ、３つ、または４つの相互に直交する挿入方向を形成することが可能である。コンタクト本体および／または相手側コンタクトレシーバは、ワンピースで、物質間接合としてモノリシックに、または一体に、構築することができる。
【００１０】
本発明の一実施形態では、相手側コンタクトレシーバは、第１の位置および第２の位置で接触領域上に装着することができる。この文脈では、接触領域上の相手側コンタクトレシーバの第１の位置で、相手側コンタクトレシーバの長手方向軸は、接触領域の長手方向軸に対して主にまたは実質的に平行に配置することができる。さらに、接触領域上の相手側コンタクトレシーバの第２の位置で、相手側コンタクトレシーバの長手方向軸は、接触領域の長手方向軸に対して主にまたは実質的に直交して配置することができる。
【００１１】
本発明によれば、コンタクトデバイスは、相手側コンタクトレシーバ内へ、または接触領域と相手側コンタクトレシーバとの間に、相手側コンタクトデバイスを挿入することができるような形態をとることができる。この文脈では、相手側コンタクトレシーバは、その周囲方向に実質的に閉じているケージの形態をとることができ、このケージ内へ相手側コンタクトレシーバを挿入することができ、ケージは特に、略ｏ字状の（好ましくは幅広い）断面を有する。さらに、相手側コンタクトレシーバは、その周囲方向に開いているトラフの形態をとることができ、このトラフ内へ相手側コンタクトレシーバを挿入することができ、トラフは特に、略ｕ字状の（好ましくは幅広い）断面を有する。
【００１２】
相手側コンタクトレシーバは、ばね、特にコンタクトばねの形態をとることができる。この文脈では、略ｏ字状のコンタクトばねが、少なくとも一方の側で内側に、少なくとも１つのコンタクト突起、特にコンタクトばねアームまたはコンタクト板ばねを有することができる。これはまた、両側にも当てはまることができ、すなわち、コンタクトばねアームまたはコンタクト板ばねが、相手側コンタクトレシーバの一方の側または双方の側に取り付けられる。さらに、略ｕ字状のコンタクトばねが、少なくとも一方の側で内側に、少なくとも１つのコンタクト突起、特にコンタクトビードを有することができる。好ましくは、相手側コンタクトレシーバの１つの単独の内面に、複数のコンタクト突起、特に多数のコンタクトばねアームもしくはコンタクト板ばね、または特に２つのコンタクトビードを設けることができる。この文脈では、関連するコンタクト突起が、好ましくは、関連する相手側コンタクトレシーバの長手方向軸に沿って延びる。
【００１３】
本発明の実施形態では、コンタクト本体または接触領域は、コンタクト本体上、すなわち実質的に接触領域上に、相手側コンタクトレシーバを固定することができる固定機構を有することができる。この文脈では、固定機構は、接触領域上へ相手側コンタクトレシーバを掛止することができる接触領域内の縁部、掛止肩部、または貫通開口の形態をとることができる。さらに、相手側コンタクトレシーバは、コンタクト本体または接触領域上に相手側コンタクトレシーバを固定することができる固定機構を有することができる。この文脈では、固定機構は、コンタクト本体上、すなわち実質的に接触領域上へ、相手側コンタクトレシーバを掛止することができる掛止タブ、ばねクランプ、掛止フック、またはクリップの形態をとることができる。
【００１４】
本発明の実施形態では、接触領域上の相手側コンタクトデバイスの第１の装着位置に対する接触領域の２つの関連する固定機構間の長手方向寸法は、接触領域上の相手側コンタクトデバイスの第２の装着位置に対する接触領域の２つの関連する固定機構間の１つの横断方向寸法に実質的に対応することができる。すなわち、この長手方向寸法は、この横断方向寸法と実質的に同じ長さを有する。相手側コンタクトレシーバは、金属またはプラスチックから構成することができる。好ましくは、相手側コンタクトレシーバ全体が、金属もしくは金属合金またはプラスチックから形成される。さらに、接触領域のうち相手側コンタクトデバイスに対するコンタクトを実際に形成する部分は、実質的に方形の形態をとることができる。
【００１５】
本発明によれば、相手側コンタクトレシーバは、複数のコンタクトばねアームを有することができ、コンタクトばねアームの電気接触領域および／またはコンタクトばねアームは、異なる幅を有する。
【００１６】
さらに、追加または代替として、コンタクトばねアームは、特にコンタクトばねアームの均一の正常接触力を確保するために、それぞれの取付け領域とそれぞれの接触領域との間で異なる長さを有することができる。当然ながら、これはまた、コンタクトばねアームのいくつかのみに関係することができ、たとえば２つ以上のコンタクトばねアーム、またはそれぞれの場合の２つ以上のコンタクトばねアームは、実質的に同じ形態をとる。
【００１７】
さらに、本発明によれば、コンタクトデバイス上の相手側コンタクトレシーバの少なくとも１つの装着位置に対して、コンタクトデバイスの電気端子接続領域に隣接する接触領域および／またはコンタクトばねアームは、端子接続領域からより遠くへ離れている接触領域および／またはコンタクトばねアームより小さい幅を有することが可能である。さらに、追加または代替として、コンタクトデバイスの端子接続領域に隣接するコンタクトばねアームは、それぞれの取付け領域とそれぞれの接触領域との間に、端子接続領域からより遠くへ離れているコンタクトばねアームより小さい長さを有することができる。これはまた、コンタクトばねアームのいくつかのみに関係することができる。
【００１８】
本発明による電気コンタクトデバイスの装着方法において、コンタクトデバイスは、コンタクト本体および相手側コンタクトレシーバを含み、相手側コンタクトレシーバは、０°／１８０°の向きおよび０°／１８０°の向きとは異なる向きで、コンタクト本体上に装着することができ、相手側コンタクトレシーバは、これらの２つの向きのうちの１つで、コンタクト本体上に装着される。本発明によれば、相手側コンタクトレシーバは、実質的に０°、９０°、１８０°、および／または２７０°の向きで、コンタクト本体上に装着することができる。この文脈では、０°／１８０°の向きは、コンタクト本体またはコンタクトデバイスの長手方向軸または横断方向軸とは異なることができる。
【００１９】
本発明によれば、相手側コンタクトレシーバは、並進運動および／または回転運動により、コンタクト本体上に装着することができる。さらに、相手側コンタクトレシーバは、コンタクト本体上で移動および／または旋回させることができる。さらに、相手側コンタクトレシーバは、コンタクト本体上に掛止することができ、またはコンタクト本体にクリップ留めすることができる。さらに、コンタクト本体上の相手側コンタクトレシーバの装着前または後に、ケーブル、電線などを電気的に端子接続することができる。この文脈では、コンタクトデバイスは、本発明によるコンタクトデバイスの形態をとることができる。本発明による完成品の電気ケーブルは、本発明によるコンタクトデバイスまたは本発明による装着されたコンタクトデバイスを有する。
【００２０】
本発明によれば、電気コンタクトデバイスが提供され、コンタクト本体上の相手側コンタクトレシーバの装着位置に基づいて、少なくとも２つの挿入軸（±０°＝±１８０°、±９０°＝±２７０°）上に合計で少なくとも２つの挿入方向（０°／１８０°、９０°／２７０°）を形成することができる。この文脈では、単一のコンタクトデバイスによって、コンタクト本体上の相手側コンタクトレシーバの装着位置に応じて、両方の挿入軸を形成することができる。この場合、コンタクトデバイスは、両方の挿入軸に対して実質的に同じ電気特性および／または機械特性を有する。さらに、本発明によるコンタクトデバイスは、簡単で小さい構造とすることができ、頑丈に低コストで構築することができる。さらに、コンタクトデバイスは、電気接触抵抗を低くすることができ、高圧の電気的用途に適したものとすることができる。
【００２１】
本発明について、変形形態の例示的な実施形態によって、添付の図面を参照して、以下でより詳細に説明する。添付の図面は、原寸に比例していない。同一、同等、または類似の構造および／または機能を有する要素、構造部分、または構成要素は、図の説明、特許請求の範囲、および参照番号の一覧では同じ参照番号を有し、かつ／または図面の図では同じ参照番号で示す。本説明で説明しない可能な代替手段は、図面に示されておらず、かつ／または図示および／もしくは説明される本発明の実施形態に対する非制限の静的および／もしくは動的な逆転、組合せなど、ならびにそれらの個々のモジュール、部品、または部分は、参照番号の一覧から導出することができる。
【００２２】
参照番号の一覧内のものを含めて、説明する特徴はすべて、記載の１つもしくは複数の組合せだけでなく、別の１つもしくは複数の組合せにも該当し、または単独で該当する。特に、本発明の説明および／または図の説明内の１つまたは複数の特徴は、本発明の説明、図の説明、および／または参照番号の一覧内のこれらに関連する参照番号および特徴を参照して代用することが可能である。さらに、これにより、特許請求の範囲内の１つまたは複数の特徴を解釈し、より具体的にし、かつ／または置き換えることが可能になる。
【図面の簡単な説明】
【００２３】
【図１】本発明による電気コンタクトデバイスにおけるコンタクト本体の接触領域に対する相手側コンタクトレシーバの第１の装着前の位置を示す正面右上からの斜視図である。
【図２】本発明によるコンタクトデバイスにおけるコンタクト本体の接触領域に対する相手側コンタクトレシーバの第２の装着前の位置を同様に示す正面右上からの斜視図である。
【図３】コンタクト本体上の第１の装着位置に相手側コンタクトレシーバを有するコンタクトデバイスを示す、図１より後の段階における正面右側からの斜視図である。
【図４】コンタクト本体上の第２の装着位置に相手側コンタクトレシーバを有するコンタクトデバイスを示す、図２より後の段階における正面右上からの斜視図である。
【図５】電気相手側コンタクトデバイスとともに押し合された第１の状態における図３からのコンタクトデバイスを示す正面右上からの３次元図である。
【図６】相手側コンタクトデバイスとともに押し合された第２の状態における図４からのコンタクトデバイスを同様に示す正面右上からの３次元図である。
【図７】図６からの相手側コンタクトデバイスがコンタクト本体または接触領域の長手方向軸に沿って挿入されている、コンタクトデバイスを示す２次元の断面図である。
【図８】相手側コンタクトレシーバがコンタクト本体の接触領域に対して第１の装着前の位置にある、形成されている本発明によるコンタクトデバイスの第２の実施形態を示す正面左上からの斜視図である。
【図９】相手側コンタクトデバイスがコンタクト本体または接触領域の横断方向軸に沿って挿入されている、図８によって装着されたコンタクトデバイスを示す２次元の断面図である。
【図１０】本発明によって相手側コンタクトレシーバ向けに構築された電気接続領域を示す正面左上からの切断斜視図である。
【発明を実施するための形態】
【００２４】
本発明について、自動車分野向けの特に銅またはアルミニウムのケーブル用の電気および／または電子コンタクトデバイス１の変形形態の実施形態（図１〜１０参照）によって、以下でより詳細に説明する。しかし、本発明は、この種の変形形態および／または以下で説明する実施形態に制限されるものではなく、本発明の意味においてすべての導体材料に対するすべてのコンタクトデバイスまたは機構に適用することができるようにより根本的な本質のものである。本発明の詳細について、好ましい例示的な実施形態によってより詳細に図示および説明するが、本発明は、これらの開示する例によって制限されるものではない。これらの例から、本発明の保護範囲から逸脱することなく、他の変形形態を導出することができる。
【００２５】
本発明について、コンタクトデバイス１の３つの実施形態（図１〜７、図８および図９、ならびに図１０）によって、以下でより詳細に説明する。たとえばまっすぐな構造、角のある構造、および／または湾曲した構造のコンタクトデバイス１は、好ましくは、圧着コンタクトデバイス１の形態をとり、コンタクトデバイス１は、好ましくは、ソケットコンタクトデバイス１または押込み式スリーブ１の形態をとる。当然ながら、ここに説明、記載、または図示しない他のコンタクトデバイス１にも本発明を適用することが可能である。本発明によるコンタクトデバイス１を備える電気ケーブル（図示せず）は、完成前のケーブルまたは完成品のケーブルと称されることがある。
【００２６】
コンタクトデバイス１は、電気または電子相手側コンタクトデバイス３とともに押し合されるように構築され、相手側コンタクトデバイス３は、好ましくは、圧着コンタクトデバイス３として同様に設計される。この文脈では、相手側コンタクトデバイス３は、タブコンタクトデバイス３、フラットコネクタ３、ピンコンタクトデバイスなどの形態をとることができる。この場合、本発明によるコンタクトデバイス１は、２つの部分から構築され、電気または電子コンタクト本体１０および相手側コンタクトレシーバ２０を有し、相手側コンタクトレシーバ２０は、必要とされる場合、電気または電子式である。この文脈では、相手側コンタクトレシーバ２０は、コンタクト本体１０上に設けることができ、特に固定もしくは掛止することができ（（装着）位置ＩＩ、下記参照）、または逆も同様である。
【００２７】
コンタクト本体１０は、好ましくは、金属または金属合金から、ワンピースで、物質間接合としてモノリシックに、または一体に形成され、たとえば端子接続コンタクト本体１０、圧着コンタクト本体１０などの形態をとる。相手側コンタクトレシーバ２０は、好ましくは、金属、金属合金、またはプラスチックから、ワンピースで、物質間接合としてモノリシックに、または一体に形成され、ばね２０、コンタクトばね２０、ケージ２０、トラフ２０、クリップなどの形態をとることができる。本発明によれば、相手側コンタクトレシーバ２０は、コンタクト本体１０上に装着することができ、相手側コンタクトレシーバ２０は、並進および／または回転（旋回）によって、コンタクト本体１０上に装着される（コンタクト本体１０が空間的に固定されるものとする）。
【００２８】
コンタクト本体１０（図８参照、正面から始まる）は、相手側コンタクトデバイス３に対する電気的および／または電子的ならびに機械的な接触領域１１０を有する（図５〜７および図９参照）。さらに、コンタクト本体１０は、ケーブル、電線などの導体またはリッツ線に対する電気的および／または電子的ならびに機械的な端子接続領域１３０、導体圧着領域１３０などと、好ましくはケーブルの電気絶縁および該当する場合は導体のための機械的固定領域１５０、ｉｓｏ圧着領域１５０などとを有する。
【００２９】
接触領域１１０と端子接続領域１３０との間には、接触領域１１０の長手方向軸に対して特に湾曲している移行領域１２０が配置され、端子接続領域１３０と固定領域１５０との間には、好ましくは、圧着領域１３０、１５０の圧着ラグを分離するさらなる移行領域１４０が配置される。
【００３０】
以下の説明では、コンタクト本体１０または接触領域１１０の長手方向軸Ｌ１１０および横断方向軸Ｑ１１０、ならびに相手側コンタクトレシーバ２０の長手方向軸Ｌ２０および横断方向軸Ｑ２０を参照する。この文脈では、長手方向軸Ｌ１１０は、好ましくは、接触領域１１０のミラー軸Ｌ１１０であり、横断方向軸Ｑ１１０は、好ましくは、同様に、接触領域１１０のミラー軸Ｌ１１０である。さらに、長手方向軸Ｌ２０および／または横断方向軸Ｑ２０は、相手側コンタクトレシーバ２０のミラー軸Ｌ２０とすることができる。それぞれの場合、それぞれの長手方向軸Ｌ１１０、Ｌ２０および／またはそれぞれの横断方向軸Ｑ１１０、Ｑ２０に沿って、２つの長手方向および２つの横断方向があり、長手方向Ｌ２０は、コンタクトデバイス１内／上への相手側コンタクトデバイス３の挿入方向に対応し、どちらの長手方向Ｌ２０も、長手方向軸Ｌ２０上に位置する。
【００３１】
本発明によれば、相手側コンタクトレシーバ２０は、コンタクト本体１０の接触領域１１０上に２つの（装着）位置Ｉ、ＩＩまたは向きＩ、ＩＩで固定することができる。この文脈では、図１、図３、図５、図８、および図９は、相手側コンタクトレシーバ２０をコンタクト本体１０上に第１の位置Ｉまたは向きＩで装着することに関係し、図２、図４、図６、および図７は、相手側コンタクトレシーバ２０を第２の位置ＩＩまたは向きＩＩで装着することに関係する。どちらの位置Ｉ、ＩＩでも、相手側コンタクトレシーバ２０は、同一の構造であり、すなわち、どちらの位置Ｉ、ＩＩでも、１つの同じ相手側コンタクトレシーバ２０をコンタクト本体１０上に固定することができる。
【００３２】
コンタクト本体１０上の相手側コンタクトレシーバ２０の第１の位置Ｉは、たとえば、接触領域１１０の長手方向軸Ｌ１１０が相手側コンタクトレシーバ２０の長手方向軸Ｌ２０に対して実質的に平行に配置され、すなわち長手方向軸Ｌ１１０と長手方向軸Ｌ２０との間の角度が約０°になるように画定される。相手側コンタクトレシーバ２０の対称性に応じて、これは、０°および／または１８０°の位置Ｉである。あるいは、接触領域１１０の長手方向軸Ｌ１１０および相手側コンタクトレシーバ２０の長手方向軸Ｌ２０は、角度、たとえば比較的小さい角度を形成し、この角度は、たとえば、互いに対して約０°〜３０°とすることができる。当然ながら、他の角度を使用することもできる。
【００３３】
コンタクト本体１０上の相手側コンタクトレシーバ２０の第２の位置ＩＩは、たとえばそれに対応して、接触領域１１０の長手方向軸Ｌ１１０が相手側コンタクトレシーバ２０の長手方向軸Ｌ２０に対して実質的に直交して配置され、すなわち長手方向軸Ｌ１１０と長手方向軸Ｌ２０との間の角度が約９０°になるように画定される。相手側コンタクトレシーバ２０の対称性に応じて、これは、９０°および／または２７０°の位置ＩＩである。さらに、接触領域１１０の長手方向軸Ｌ１１０および相手側コンタクトレシーバ２０の長手方向軸Ｌ２０は、角度、たとえば比較的大きい角度を形成し、この角度は、たとえば、互いに対して約６０°〜９０°とすることができる。当然ながら、他の角度を使用することもできる。
【００３４】
本発明によるコンタクトデバイス１の第１の実施形態（図１〜７）では、相手側コンタクトレシーバ２０は、コンタクトばね２０の形態をとり、コンタクトばね２０は、好ましくはその周辺部にわたって実質的に閉じており、たとえばケージ２０と称されることがある。この文脈では、ケージ２０の断面は、比較的広い「Ｏ」または矩形によって形成され、その中に相手側コンタクトデバイス３を挿入することができる。この文脈では、相手側コンタクトデバイス３は、全体としてケージ２０内に、すなわち実質的にぴったりと受け取ることができる。コンタクト本体１０上に相手側コンタクトレシーバ２０を固定する固定機構２１３、２１３に加えて、ケージ２０の外形が、好ましくは、直方体の外形に実質的に対応する。
【００３５】
好ましくは、相手側コンタクトレシーバ２０は、その長手方向軸Ｌ２０およびその横断方向軸Ｑ２０に対してミラー対称になるように構築され、それにより、接触領域１１０上の相手側コンタクトレシーバ２０の０°の位置Ｉ（図３および図５）が１８０°の位置Ｉから実質的に区別できなくなり、９０°の位置ＩＩ（図４、図６、および図７）が２７０°の位置ＩＩから実質的に区別できなくなる。第１の実施形態による相手側コンタクトレシーバ２０は、相手側コンタクトデバイス３が電気コンタクトを形成するために、相手側コンタクトレシーバ２０内で互いに対向する多数のコンタクト突起２０２を有し、コンタクト突起２０２は、好ましくは、コンタクトばねアーム２０２またはコンタクト板ばね２０２の形態をとる。好ましくは、コンタクトばねアーム２０２は、相手側コンタクトレシーバ２０の長手方向Ｌ２０に延びる。
【００３６】
図１および図２はそれぞれ、接触領域１１０に対する相手側コンタクトレシーバ２０の装着前の位置を示す。図１では、長手方向軸Ｌ１１０、Ｌ２０および横断方向軸Ｑ１１０、Ｑ２０が、それぞれの場合、互いに対して実質的に平行に配置される（位置Ｉ）。図２では、長手方向軸Ｌ１１０／Ｌ２０および横断方向軸Ｑ２０／Ｑ１１０が、それぞれの場合、互いに対して実質的に平行に向けられる（位置ＩＩ）。図３および図４にそれぞれ示す接触領域１１０上の相手側コンタクトレシーバ２０の装着位置Ｉ、ＩＩに対して、それぞれの相手側コンタクトレシーバ２０は、並進および／または回転により、接触領域１１０の方へ動かされ、関連する接触領域１１０上に装着され、すなわち固定（ｆｉｘｅｄ  ｏｒ  ｓｅｃｕｒｅｄ）される。この目的で、接触領域１１０および相手側コンタクトレシーバ２０は、特定の領域で相補形の対応する固定機構１１２、１１４、２１３を有する。
【００３７】
この場合、第１の装着位置Ｉに対する接触領域１１０の固定機構１１２は、縁部１１２、掛止肩部１１２、開口１１２などの形態をとり、その上へ相手側コンタクトレシーバ２０の固定機構２１３を掛止することができる。好ましくは、関連する固定機構１１２は、相手側コンタクトレシーバ２０が接触領域１１０から滑り落ちないように、突起によって横方向に区切られる。第１の装着位置Ｉに対する接触領域１１０の２つの固定機構１１２、１１２は、好ましくは、接触領域１１０に対して対称になるように、接触領域１１０上／内に構築される。
【００３８】
さらに、第２の装着位置ＩＩに対する接触領域１１０の固定機構１１４は、縁部１１４、掛止肩部１１４、開口１１４、貫通開口１１４などの形態をとり、その上へ相手側コンタクトレシーバ２０の固定機構２１３を掛止することができる。好ましくは、この文脈では、接触領域１１０上／内で移行領域１２０近傍の貫通開口１１４が使用される。好ましくは、関連する固定機構１１４は、この場合も、相手側コンタクトレシーバ２０が接触領域１１０から滑り落ちないように、突起または貫通開口１１４によって横方向に区切られる。
【００３９】
相手側コンタクトレシーバ２０の固定機構２１３は、好ましくは、掛止タブ２１３、掛止フック２１３、クリップ、ばねクランプなどの形態をとり、トラフ２０の頂部から離れる方へ横方向および下向きに延びる。関連する装着位置Ｉ、ＩＩで、固定機構２１３は、好ましくは掛止により、接触領域１１０の固定機構１１２、１１４に当接する。図３および図４では、それぞれの相手側コンタクトレシーバ２０は、それぞれ第１の位置Ｉおよび第２の位置ＩＩで接触領域１１０上に装着され、すなわち固定（ｆｉｘｅｄ  ｏｒ  ｓｅｃｕｒｅｄ）され、相手側コンタクトレシーバ２０の固定機構２１３は、接触領域１１０上で相手側コンタクトレシーバ２０を固定するように、接触領域１１０の関連する固定機構１１２、１１４に当接する。
【００４０】
図５〜７は、相手側コンタクトレシーバ２０およびコンタクト本体１０から構成されたそれぞれのコンタクトデバイス１を、相手側コンタクトデバイス３が挿入された状態で示し、相手側コンタクトデバイス３は、一方では接触領域１１０の長手方向軸Ｌ１１０に沿って（図５）、もう一方では横断方向軸Ｑ１１０に沿って（図６および図７）、コンタクトデバイス１内へ挿入される。この文脈では、相手側コンタクトデバイス３は、相手側コンタクトレシーバ１の側壁によって相手側コンタクトレシーバ２０内でさらに中心に位置決めすることができ、側壁は、好ましくは、内向きのビード、ばねなどを有する。
【００４１】
第２の実施形態（図８および図９）では、コンタクト本体１０または接触領域１１０は、第１の実施形態に類似した形態をとることができる。ここで、本発明によれば、相手側コンタクトレシーバ２０は、異なる形態をとることができ、コンタクトばね２０の形態をとり、好ましくはその周辺部で開いており、たとえばトラフ２０と称されることがある。トラフ２０の断面は、この文脈では、比較的広い「Ｕ」によって形成され、その中に相手側コンタクトデバイス３を挿入することができる。この文脈では、相手側コンタクトデバイス３は、トラフ２０内に部分的に周辺で受け取ることができ、相手側コンタクトデバイス３は、相手側コンタクトレシーバ２０が接触領域１１０上で装着位置Ｉ、ＩＩに入って初めて、相手側コンタクトレシーバ２０と接触領域１１０との間に実質的にぴったりと受け取ることができる。トラフ２０の外形は、好ましくは、直方体の外形に実質的に対応する。
【００４２】
好ましくは、相手側コンタクトレシーバ２０は、その長手方向軸Ｌ２０およびその横断方向軸Ｑ２０に対してミラー対称になるように構築され、それにより、この場合も、接触領域１１０上の相手側コンタクトレシーバ２０の０°の位置Ｉ（図８および図９）が１８０°の位置Ｉから実質的に区別できなくなり、９０°の位置ＩＩ（図示せず）が２７０°の位置ＩＩから実質的に区別できなくなる。第２の実施形態による相手側コンタクトレシーバ２０は、相手側コンタクトデバイス３が電気コンタクトを形成するために、相手側コンタクトレシーバ２０内に設けられた少なくとも１つのコンタクト突起２０２を有し、コンタクト突起２０２は、好ましくは、コンタクトビード２０４の形態をとる。好ましくは、相手側コンタクトレシーバ２０の長手方向Ｌ２０に延びる２つのコンタクトビード２０４が、相手側コンタクトレシーバ２０内に構築される。
【００４３】
相手側コンタクトレシーバ２０の固定機構２１３は、好ましくは、掛止タブ２１３、掛止フック２１３、クリップ、ばねクランプなどの形態をとり、トラフ２０の頂部から離れる方へ横方向および下向きに延びる。図９に示す接触領域１１０上の相手側コンタクトレシーバ２０の第１の装着位置Ｉでは、相手側コンタクトレシーバ２０の掛止タブ２１３または掛止フック２１３が底部で接触領域１１０上へどのように掛止するかをはっきりと見ることができる。掛止タブ２１３または掛止フック２１３の自由端を受け取る目的で、接触領域１１０は、対応する溝を有することができる。
【００４４】
図１０は、相手側コンタクトレシーバ２０に対する電気接続領域２００の本発明による一実施形態を示し、この場合、接続領域２００は、２つの部分に分割されており、各部分が、複数の電気コンタクトばねアーム２０２を有する。この場合、相手側コンタクトレシーバ２０において、５つのコンタクトばねアーム２０２が各部分内に設置される。当然ながら、接続領域２００が１つのみまたは多数の部分を含むことも可能であり、当然ながら、６つ以上または４つ以下のコンタクトばねアーム２０２を設けることもできる。この種の一実施形態は、本発明の実施形態のすべてに該当する。
【００４５】
コンタクトばねアーム２０２は、コンタクト板ばね２０２と称されることもあり、関連するコンタクトばねアーム２０２は、その長手方向（この場合、相手側コンタクトレシーバ２０の横断方向軸Ｑ２０である）において、一方の側（図１０参照）または双方の側（図１〜７参照）で、相手側コンタクトレシーバ２０に取り付けることができる。この場合、コンタクトばねアーム２０２は、相手側コンタクトレシーバ２０または相手側コンタクトレシーバ２０の本体の一方の側に設けられており、すなわち特に相手側コンタクトレシーバ２０と一体であり、または物質間接合としてモノリシックに形成される。この文脈では、コンタクトばねアーム２０２は、取付け領域２０１によって、相手側コンタクトレシーバ２０の本体または相手側コンタクトレシーバ２０に接続される。
【００４６】
好ましくは打抜かれたコンタクトばねアーム２０２によって、接続領域２００の剛性が弱くなりすぎないように、コンタクトばねアーム２０２の取付け領域２０１は、互いに対向して交互に配置される。すなわち、相手側コンタクトレシーバ２０の長手方向Ｌ２０において、コンタクトばねアーム２０２は、右側（または左側）で相手側コンタクトレシーバ２０に取り付けられ、次いで、好ましくは直接隣接するコンタクトばねアーム２０２が、この長手方向Ｌ２０において、左側（または右側）で相手側コンタクトレシーバ２０に取り付けられる。この文脈では、したがって接続領域２００の一部分内で相互に対向して設置されたコンタクトばねアーム２０２は、互いにまたは互いの間で係合する。
【００４７】
端子接続領域から離れる方へ延びる実質的に同一のコンタクトばねアームを有するコンタクトデバイスの場合、このコンタクトデバイスが使用されるとき、電流の大部分は常に最短の経路をとる。なぜなら、その経路の電気抵抗が最も低いからである。これにより、コンタクトデバイスの場合、たとえば狭くなった部分がある場合、単独のコンタクトばねアームが熱くなりすぎる可能性があり、その結果、コンタクトデバイスの障害をもたらす可能性があるため、問題が生じる。この問題を防ぐために、本発明の実施形態では、コンタクトばねアーム２０２の構造は可変である。すなわち、相手側コンタクトレシーバ２０のコンタクトばねアーム２０２は、相互に実質的に同一の構造ではなくなる。
【００４８】
本発明によれば、コンタクトばねアーム２０２は、コンタクトデバイス１０上の相手側コンタクトレシーバ２０の少なくとも１つの装着位置Ｉ／ＩＩに対して、コンタクトばねアーム２０２を通る電流にとって実質的にまたは主に好ましい経路がなくなるように、相手側コンタクトレシーバ２０内に構築および設置される。すなわち、可能な場合、電流に対するすべての可能な経路、すなわちコンタクトばねアーム２０２に向かう経路、コンタクトばねアーム２０２を通る経路、およびコンタクトばねアーム２０２から離れる経路が、実質的にまたは主に等しく「引き付ける」。これにより、上記の問題を実際上防止することが可能になる。
【００４９】
コンタクトばねアーム２０２の本発明による一実施形態を図１０に示す。接続領域２００の一部分では、より小さい幅を有するコンタクトばねアーム２０２が、コンタクト本体１０の端子接続領域１３０または導体圧着領域１３０近傍に設けられ、より大きい幅を有するコンタクトばねアーム２０２が、端子接続領域１３０からより遠くへ離れて配置される。コンタクト本体１０上の相手側コンタクトレシーバ２０の装着位置Ｉ／ＩＩにおいて、端子接続領域１３０からより遠くへ離れて配置されるほど、コンタクトばねアーム２０２および／またはその電気接触領域２０３をより幅広くすることが好ましい。これはまた、コンタクトばねアーム２０２の長さにも同様に適用することができる（下記参照）。
【００５０】
ここでは、残りのコンタクトばねアーム２０２内の電気抵抗がそれ以上大きくならないことを条件として、コンタクトばねアーム２０２の接触領域２０３がそれに応じて構築されると十分である。当然ながら、関連するコンタクトばねアーム２０２全体もまた、図１０に示すものに対応する幅を有することができる。上記の装着位置Ｉ／ＩＩとは異なるコンタクト本体１０上の相手側コンタクトレシーバ２０の装着位置ＩＩ／Ｉも、実質的に問題ない。なぜなら、そのような場合、コンタクトばねアーム２０２またはその接触領域２０３が、コンタクト本体１０の端子接続領域１３０から実質的に同じ間隔をあけるからである。
【００５１】
より小さい幅を有するコンタクトばねアーム２０２が、より大きい電気抵抗を有するため、本発明によれば、それらの幅は、相手側コンタクトデバイス３（図５、図６、および図９参照）、相手側コンタクトレシーバ２０、ならびに／またはコンタクト本体１０を通って流れる電流を考慮して、コンタクトばねアーム２０２のすべてに対して電気抵抗が実質的に同じサイズになるように設定または選択される。さらに、より大きい幅を有するコンタクトばねアーム２０２が、より大きい正常接触力を有するため、コンタクトばねアーム２０２の長さを増大させて、コンタクトばねアーム２０２の実質的にすべてにわたって一定の正常接触力を生成することができる。
【００５２】
これらはどちらも、図１０にはっきりと見ることができる。一方では、相手側コンタクトレシーバ２０のコンタクトばねアーム２０２の幅は、相手側コンタクトレシーバ２０の長手方向Ｌ２０において、コンタクト本体１０の端子接続領域１３０から連続して増大する。すなわち、関連するコンタクトばねアーム２０２は、端子接続領域１３０からより遠くへ離れて配置されるほど、より幅広くなるように構築される。さらに、他方では、相手側コンタクトレシーバ２０のコンタクトばねアーム２０２の長さは、相手側コンタクトレシーバ２０の長手方向Ｌ２０において、コンタクト本体１０の端子接続領域１３０から連続して増大する。すなわち、関連するコンタクトばねアーム２０２は、端子接続領域１３０からより遠くへ離れて配置されるほど、より長くなるように構築される。これはまた、そのそれぞれの取付け領域２０１とそのそれぞれの接触領域２０３との間のコンタクトばねアーム２０２の長さにも同様に適用することができる。
【００５３】
参照番号の一覧
１  たとえば自動車分野向けの特に銅またはアルミニウムのケーブル用の、２つの部分（１０、２０）からなる（電気／電子）コンタクトデバイス（まっすぐ、角あり、および／または湾曲）。圧着コンタクトデバイス、ソケットコンタクトデバイス、押込み式スリーブなど、コンタクトデバイス
３  たとえば自動車分野向けの特に銅またはアルミニウムのケーブル用の、ワンピースで、物質間接合としてモノリシックに、または一体に形成された（電気／電子）相手側コンタクトデバイス。圧着コンタクトデバイス、タブコンタクトデバイス、フラットコネクタ、ピンコンタクトデバイスなど、コンタクトデバイス
１０  金属／金属合金から、ワンピースで、物質間接合としてモノリシックに、または一体に形成された（電気／電子）コンタクト本体。端子接続コンタクト本体、圧着コンタクト本体
２０  金属／金属合金／プラスチックから、ワンピースで、物質間接合としてモノリシックに、または一体に形成された（電気／電子）相手側コンタクトレシーバ。並進および／または回転によりコンタクト本体１０上に装着可能なばね、コンタクトばね、ケージ、トラフ、クリップ
１１０  相手側コンタクトデバイス３に対する（電気／電子および機械的）接触領域
１１２  位置Ｉにおいて、固定機構２１３に対して相補形の特定の領域内で、コンタクト本体１０上に相手側コンタクトレシーバ２０を固定する固定機構。縁部、掛止肩部、開口、貫通開口など
１１４  位置ＩＩにおいて、固定機構２１３に対して相補形の特定の領域内で、コンタクト本体１０上に相手側コンタクトレシーバ２０を固定する固定機構。縁部、掛止肩部、開口、貫通開口など
１２０  接触領域１１０と端子接続領域１３０との間の移行領域
１３０  （電気／電子および機械的）端子接続領域、ケーブルの導体／リッツ線に対する導体圧着領域
１４０  端子接続領域１３０とｉｓｏ圧着領域１５０との間の移行領域（任意選択）
１５０  ケーブルの電気絶縁（および該当する場合、導体（絶縁による））のための（機械的）固定領域、ｉｓｏ圧着領域（任意選択）
２００  相手側コンタクトレシーバ２０に対する電気接続領域
２０１  相手側コンタクトレシーバ２０の本体または相手側コンタクトレシーバ２０に対するコンタクトばねアーム２０２またはコンタクト板ばね２０２の取付け領域
２０２  電気コンタクト突起、特にコンタクトばねアーム、コンタクト板ばね
２０３  コンタクトばねアーム２０２またはコンタクト板ばね２０２の電気接触領域
２０４  コンタクト突起、特にコンタクトビード
２１３  位置Ｉ、ＩＩに対して、固定機構１１２、１１４に対して相補形の特定の領域で、コンタクト本体１０上に相手側コンタクトレシーバ２０を固定する固定機構。掛止タブ、掛止フック、クリップ、ばねクランプなど
Ｉ  コンタクト本体１０上の相手側コンタクトレシーバ２０の第１の（装着）位置／向き、長手方向軸Ｌ１１０に対して主にまたは実質的に平行の長手方向軸Ｌ２０、好ましくは０°および／または１８０°の（装着）位置／向き
ＩＩ  コンタクト本体１０上の相手側コンタクトレシーバ２０の第２の（装着）位置／向き、長手方向軸Ｌ１１０に対して主にまたは実質的に直交する長手方向軸Ｌ２０、好ましくは９０°および／または２７０°の（装着）位置／向き
Ｈ  垂直軸、コンタクト本体１０に対する相手側コンタクトレシーバ２０の２つの位置Ｉ、ＩＩをもたらす相手側コンタクトレシーバ２０に対する接触領域１１０の想像上の回転中心を有する回転軸
Ｌ１１０  接触領域１１０の長手方向軸、ミラー軸、長手方向
Ｑ１１０  接触領域１１０の横断方向軸、該当する場合はミラー軸、横断方向
Ｌ２０  相手側コンタクトレシーバ２０の長手方向軸、ミラー軸、長手方向
Ｑ２０  相手側コンタクトレシーバ２０の横断方向軸、該当する場合はミラー軸、横断方向
【図１】
0006664403.tif 000002
【図２】
0006664403.tif 000003
【図３】
0006664403.tif 000004
【図４】
0006664403.tif 000005
【図５】
0006664403.tif 000006
【図６】
0006664403.tif 000007
【図７】
0006664403.tif 000008
【図８】
0006664403.tif 000009
【図９】
0006664403.tif 000010
【図１０】
0006664403.tif 000011